【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
コンピュータで実施される方法であって、
サーバが第１デバイスからログイン要求を受信するステップであって、前記ログイン要求が、アプリケーションログインのために使用されるログイン情報を含む、ステップと、
前記第１デバイスからのログイン要求を受信したことに応じて、
前記サーバが前記第１デバイスとは異なる第２デバイスへ検証コードを含む第１メッセージを送信するするステップであって、前記第１メッセージが、前記第２デバイスが前記検証コードを含む音声信号をブロードキャストするように命令する、ステップ、及び、
前記サーバが前記第１デバイスに第２メッセージを送信するステップであって、前記第２メッセージが、前記第１デバイスが音声感知を行うように命令する、ステップと、
を備えることを特徴とする方法。
【請求項２】
前記第１デバイスが、前記サーバによって許可される許可前デバイスであり、
前記第２デバイスが、前記サーバによって許可された許可済デバイスであり、
前記サーバが、前記第１デバイスからログイン要求を受けた後、前記コードを発生させ、
前記第２デバイスが、前記サーバから受けた前記第１メッセージに含まれる符号化規則に基づいて、前記検証コードをブロードキャストするための前記音声信号に符号化することを特徴とする請求項１に記載の方法。
【請求項３】
前記サーバが前記第１デバイスから第２検証コードを受けるステップであって、前記第２検証コードが、前記第２デバイスがブロードキャストした前記音声信号から前記第１デバイスによって自動的に抽出して復号化される、ステップと、
前記サーバが前記検証コード及び受信した前記第２検証コードに基づいて前記第１デバイスを検証するステップと、
をさらに備えることを特徴とする請求項２に記載の方法。
【請求項４】
前記第２メッセージが、前記第１デバイスが当該第１デバイスのマイクロホンを有効にするように命令することを特徴とする請求項３に記載の方法。
【請求項５】
前記第１デバイスを検証するステップが、
前記サーバが、受信した前記第２検証コードが前記検証コードと一致するか判定するステップと、
受信した前記第２検証コードが前記検証コードと一致すると判定したことに応じて、
前記サーバが前記第１デバイスを検証するステップと、
前記サーバが前記第１デバイスへのアプリケーションログインを許可するステップと、
を備えることを特徴とする請求項３に記載の方法。
【請求項６】
前記第２デバイスが、前記第１デバイスが所定の時間間隔内に前記音声信号を感知したか判定するステップと、
前記第１デバイスが前記所定の時間間隔に前記音声信号を感知しないと判定したことに応じて、前記第２デバイスが前記認証コードと関連付けられたタイムアウト指標を前記サーバに送信するステップと、
をさらに備えることを特徴とする請求項１に記載の方法。
【請求項７】
前記音声信号が、前記第２デバイスのデバイス識別子をさらに含むことを特徴とする請求項１に記載の方法。
【請求項８】
前記第１メッセージが、前記サーバによって、前記サーバと前記第２デバイスとの間の許可済チャネルを通じて前記第２デバイスに送信され、
前記音声信号が、近距離音響通信に基づいて前記第２デバイスによってブロードキャストされることを特徴とする請求項１に記載の方法。
【請求項９】
コンピュータシステムが実行して動作を行う１以上の命令を格納した非一時的コンピュータ可読媒体であって、
前記動作が、
サーバが第１デバイスからログイン要求を受信するステップであって、前記ログイン要求が、アプリケーションログインのために使用されるログイン情報を含む、ステップと、
前記第１デバイスからのログイン要求を受信したことに応じて、
前記サーバが前記第１デバイスとは異なる第２デバイスへ検証コードを含む第１メッセージを送信するするステップであって、前記第１メッセージが、前記第２デバイスが前記検証コードを含む音声信号をブロードキャストするように命令する、ステップ、及び、
前記サーバが前記第１デバイスに第２メッセージを送信するステップであって、前記第２メッセージが、前記第１デバイスが音声感知を行うように命令する、ステップと、
を備える非一時的コンピュータ可読媒体。
【請求項１０】
前記第１デバイスが、前記サーバによって許可される許可前デバイスであり、
前記第２デバイスが、前記サーバによって許可された許可済デバイスであり、
前記サーバが、前記第１デバイスからログイン要求を受けた後、前記コードを発生させ、
前記第２デバイスが、前記サーバから受けた前記第１メッセージに含まれる符号化規則に基づいて、前記検証コードをブロードキャストするための前記音声信号に符号化することを特徴とする請求項９に記載の非一時的コンピュータ可読媒体。
【請求項１１】
前記動作が、
前記サーバが前記第１デバイスから第２検証コードを受けるステップであって、前記第２検証コードが、前記第２デバイスがブロードキャストした前記音声信号から前記第１デバイスによって自動的に抽出して復号化される、ステップと、
前記サーバが前記検証コード及び受信した前記第２検証コードに基づいて前記第１デバイスを検証するステップと、
をさらに備えることを特徴とする請求項１０に記載の非一時的コンピュータ可読媒体。
【請求項１２】
前記第２メッセージが、前記第１デバイスが当該第１デバイスのマイクロホンを有効にするように命令することを特徴とする請求項１１に記載の非一時的コンピュータ可読媒体。
【請求項１３】
前記第１デバイスを検証するステップが、
前記サーバが、受信した前記第２検証コードが前記検証コードと一致するか判定するステップと、
受信した前記第２検証コードが前記検証コードと一致すると判定したことに応じて、
前記サーバが前記第１デバイスを検証するステップと、
前記サーバが前記第１デバイスへのアプリケーションログインを許可するステップと、
を備えることを特徴とする請求項１１に記載の非一時的コンピュータ可読媒体。
【請求項１４】
前記第２デバイスが、前記第１デバイスが所定の時間間隔内に前記音声信号を感知したか判定するステップと、
前記第１デバイスが前記所定の時間間隔に前記音声信号を感知しないと判定したことに応じて、前記第２デバイスが前記認証コードと関連付けられたタイムアウト指標を前記サーバに送信するステップと、
をさらに備えることを特徴とする請求項９に記載の非一時的コンピュータ可読媒体。
【請求項１５】
前記音声信号が、前記第２デバイスのデバイス識別子をさらに含むことを特徴とする請求項９に記載の非一時的コンピュータ可読媒体。
【請求項１６】
前記第１メッセージが、前記サーバによって、前記サーバと前記第２デバイスとの間の許可済チャネルを通じて前記第２デバイスに送信され、
前記音声信号が、近距離音響通信に基づいて前記第２デバイスによってブロードキャストされることを特徴とする請求項９に記載の非一時的コンピュータ可読媒体。
【請求項１７】
コンピュータで実施されるシステムであって、
１以上のコンピュータと、
１以上の前記コンピュータと相互動作可能に連結された１以上のコンピュータメモリデバイスであって、１以上の命令を格納した有形の非一時的コンピュータ可読媒体を有し、前記命令が、１以上の前記コンピュータによって実行されると、１以上の動作を行い、
前記動作が、
サーバが第１デバイスからログイン要求を受信するステップであって、前記ログイン要求が、アプリケーションログインのために使用されるログイン情報を含む、ステップと、
前記第１デバイスからのログイン要求を受信したことに応じて、
前記サーバが前記第１デバイスとは異なる第２デバイスへ検証コードを含む第１メッセージを送信するするステップであって、前記第１メッセージが、前記第２デバイスが前記検証コードを含む音声信号をブロードキャストするように命令する、ステップ、及び、
前記サーバが前記第１デバイスに第２メッセージを送信するステップであって、前記第２メッセージが、前記第１デバイスが音声感知を行うように命令する、ステップと、
を備えることを特徴とするシステム。
【請求項１８】
前記第１デバイスが、前記サーバによって許可される許可前デバイスであり、
前記第２デバイスが、前記サーバによって許可された許可済デバイスであり、
前記サーバが、前記第１デバイスからログイン要求を受けた後、前記コードを発生させ、
前記第２デバイスが、前記サーバから受けた前記第１メッセージに含まれる符号化規則に基づいて、前記検証コードをブロードキャストするための前記音声信号に符号化することを特徴とする請求項１７に記載のシステム。
【請求項１９】
前記動作が、
前記サーバが前記第１デバイスから第２検証コードを受けるステップであって、前記第２検証コードが、前記第２デバイスがブロードキャストした前記音声信号から前記第１デバイスによって自動的に抽出して復号化される、ステップと、
前記サーバが前記検証コード及び受信した前記第２検証コードに基づいて前記第１デバイスを検証するステップと、
をさらに備えることを特徴とする請求項１８に記載のシステム。
【請求項２０】
前記第２メッセージが、前記第１デバイスが当該第１デバイスのマイクロホンを有効にするように命令することを特徴とする請求項１８に記載のシステム。